(57)【要約】【課題】オフセット印刷装置を用いた超微細なパターン形成において、絵柄、特に直線の組み合わせで構成される絵柄を形成する場合の印刷品質の低下を防止する。【解決手段】少なくともドクターブレードと、ブランケットロールと、版取付定盤と、前記版取付定盤上に配置される印刷版と、グラビアシリンダーと、印刷定盤とを備え、前記印刷版は、印刷進行方向に対し第１の傾斜角となるように傾斜して配置され、前記印刷定盤は、印刷進行方向に対し第２の傾斜角となるように傾斜して配置され、絵柄が被印刷部へ平行に印刷されるように、被印刷体が印刷進行方向に対し第３の傾斜角傾いた方向に供給されること、前記版取付定盤上に配置される印刷版を使った印刷とグラビアシリンダーを使った印刷を重ねて行えることを特徴とするオフセット印刷装置。【選択図】図１
2014030966.tif 000002
【特許請求の範囲】
【請求項１】
少なくともドクターブレードと、ブランケットロールと、版取付定盤と、前記版取付定盤上に配置される印刷版と、グラビアシリンダーと、印刷定盤とを備えたオフセット印刷装置であって、
前記グラビアシリンダーは、印刷進行方向に対し軸方向が直交するように配置され、グラビアシリンダーに凹版として描かれている絵柄は第１の傾斜角（α）となるように傾斜していて、前記印刷定盤は、印刷進行方向に対し第２の傾斜角（β）となるように傾斜して配置され、前記ドクターブレードは、前記印刷版に対して平行にならないように配置され、絵柄が被印刷部へ平行に印刷されるように、被印刷体が印刷進行方向に対し、第３の傾斜角（β）で傾いている方向に供給されることを特徴とするオフセット印刷装置。
【請求項２】
前記グラビアシリンダーの絵柄における第１の傾斜角（α）と前記印刷定盤における第２の傾斜角（β）とは、同じ傾斜角であることを特徴とする請求項１に記載のオフセット印刷装置。
【請求項３】
前記版取付定番上に配置される印刷版を使った印刷と前記グラビアシリンダーを使った印刷を順番に共通の前記印刷定盤にある被印刷部へ平行に重ねて印刷されることを特徴とする請求項１乃至２に記載のオフセット印刷装置。
【請求項４】
前記被印刷体の供給方向が、印刷進行方向と略直交方向であることを特徴とする請求項１乃至３のいずれか１項に記載のオフセット印刷装置。
【請求項５】
前記ドクターブレード、前記版取付定盤、及び前記印刷定盤が傾斜している角度、及び前記被印刷体を供給する角度が、任意の角度にそれぞれ調整可能であることを特徴とする請求項１乃至４のいずれか１項に記載のオフセット印刷装置。
【発明の詳細な説明】
【技術分野】
【０００１】
本発明は、電子回路配線パターン等及び半導体関連の各種デバイス等における微細パターンを、高精度で印刷することが可能なオフセット印刷装置に関する。
【背景技術】
【０００２】
電子回路配線パターン等及び半導体関連の各種デバイス等の電極パターンは極めて高い精度で形成することが要求される。従来、このような高精度な電極パターン等は、フォトリソグラフィー法により形成されていた。しかしながら、フォトリソグラフィー法は工程が複雑であり、パターン形成のための露光装置が必要であること、及び材料ロスが多いことなどから、生産性が悪く、製造コストが高くなる問題があった。
【０００３】
また、別の方法としてはスクリーン印刷法が知られている。スクリーン印刷法によれば、フォトリソグラフィー法に比べて工程を簡略化することができるが、微細パターン（例えば３０μｍ以下のラインパターン）を安定して繰返し形成することは困難である。
【０００４】
このような問題に鑑みて、近年、オフセット印刷法が電極等の微細パターンの形成に用いられるようになっている。オフセット印刷法による印刷装置は、印刷パターンが形成された版ステージとこの版の画線部分にインキを供給するドクターブレード及び版に接触しながら回転し、インキを受理するブランケットロールとを備えている。このブランケットロールに受理されたインキを印刷ステージで、ガラス基板等の表面に所定の微細パターンを形成することができる。（特許文献１、２）
【先行技術文献】
【特許文献】
【０００５】
【特許文献１】特開２００６−２８９７３１号公報
【特許文献２】特開２０１０−０４２５５３号公報
【発明の概要】
【発明が解決しようとする課題】
【０００６】
しかしながら、近年は超微細なパターン形成精度が要求されており、上述のオフセット印刷法を用いても微細パターンの絵柄、特に直線の組み合せで構成される絵柄を形成する場合、印刷品質が低下するケースがある。このような問題は、無視できない重大な課題となっている。
【０００７】
微細パターンの絵柄によって生じる印刷品質が低下する原因としては、凹版オフセット印刷の場合は、版ステージ上で、ドクターブレードを用いてインキを版から掻く際に、ドクターブレードが配置される方向と版に形成される絵柄に含まれる直線部の方向（横方向）とが一致すると、ドクターブレードが版の直線部に食い込むことがある。その結果として、ガラス基板等の被印刷物表面へ微細パターンを形成する制度が低下するというケースが多い。また、平版もしくは凸版オフセット印刷全般にみられる印刷品質が低下する原因としては、版からブランケットへ絵柄を転写する時に、版に横方向に形成された直線部が、糸曳き現象の影響でブランケットへ綺麗に転写されないことがある。その結果として、印刷品質が低下するというケースが多い。
【０００８】
このドクターブレードが絵柄に食い込む現象を防止する方法として、ドクターブレードを版（絵柄）に対し斜めにセットし、絵柄の横方向の直線部とドクターブレードが平行にならないように配置して、食い込みを防止する方法がある。また、ドクターブレードは平行にセットし、版（絵柄）を斜めにセットして絵柄への食い込みを防止する方法もある。また、版からブランケットへ絵柄を転写する時に、糸曳き現象で横方向の線がきれいに転写されない対策として、版を斜めにセットし、インキの糸曳き現象を防止する方法がある。
【０００９】
以上説明した対策法を考慮したオフセット印刷法による印刷装置の代表的な構成例を図６〜８に示す。図６は平面図、図７は側面図、図８は絵柄が印刷された後のフィルムを示す。
以下に、印刷工程の概略を説明する。
オフセット印刷装置１は、ドクターブレード５とブランケットロール１５を備えた台車１０と版ステージ２０と印刷ステージ３０と、それに被印刷物（ここではフィルム４０）から構成されている。ここで、ドクターブレード５、印刷版（版）６０、及び印刷絵柄（絵柄）６５は、図６に示すように、矢印で示す印刷方向に対し、斜めにセットされている。
【００１０】
図面右端に示される台車１０に設けられたドクターブレード５が図面左に示される版ステージ端５ａまで移動し、インキを版取付定盤２５にセットされている版６０に供給する。続いて、ブランケットロール１５が版６０上を回転し、版６０の絵柄をブランケットロール１５の表面に転写する。
続いて、このブランケットロール１５は印刷ステージ３０に移動し、被印刷物（ここではフィルム４０）の表面上を回転しながら１５ｂの位置まで移動し、転写された絵柄をフィルム４０に印刷する。１０ｂは印刷装置１の右端から左端に移動した台車を示す。
【００１１】
印刷ステージ３０でフィルム４０への印刷が完了したら、フィルム４０を１ピッチ分送りだし、印刷ステージ３０の印刷定盤３５にて所定の位置でフィルム４０を固定し、次の印刷に備える。以下、同様な工程を繰り返してフィルム４０への印刷を行う。ここで、２、３は印刷装置の架台フレーム、４１は印刷されたフィルム、５５、５６はフィルム４０の供給ライン保持ロールを示す。また、台車１０、ドクターブレード５、及びブランケットロール１５は図示しないが、水平方向への移動手段と垂直方向への昇降手段を備えている。
【００１２】
このように、ドクターブレード５と版６０を斜めにセットし、フィルム４０等へ印刷すると、従来発生していた印刷品質が低下するという問題は解決できる。しかしながら、図８に示すように、フィルム４０に対し絵柄６５を斜めに印刷するため、印刷されたフィルム４１をカットするときのフィルム４１の長さＬが長くなる。このため、フィルム４０の歩留まりが悪くなり、製造コストが高くなるという問題が発生する。また、前工程で一次印刷されたフィルム４１へ複数印刷をする場合には、斜めに印刷されている一次絵柄との位置合せに関する問題も発生し、生産性が悪くなる。
【００１３】
本発明は、上述した従来のオフセット印刷法の問題を解決すべくなされるものであって、印刷精度の低下を防止することができ、しかも生産性が低下することなく、製造コストも安価にできる、高精度の微細印刷が可能なオフセット印刷装置を提供することを目的とする。
【課題を解決するための手段】
【００１４】
上記の課題を解決する手段として、請求項１に記載の発明は、ドクターブレードと、ブランケットロールと、版取付定盤と、前記版取付定盤上に配置される印刷版と、印刷定盤とを備え、前記印刷版は、印刷進行方向に対し第１の傾斜角となるように傾斜して配置され、前記印刷定盤は、印刷進行方向に対し第２の傾斜角となるように傾斜して配置され、前記ドクターブレードは、前記印刷版に対して平行にならないように配置され、絵柄が被印刷部へ平行に印刷されるように、被印刷態が印刷進行方向に対し第３の傾斜角で傾いている方向に供給されることを特徴とするオフセット印刷装置である。
【００１５】
請求項２に記載の発明は、前記印刷版における第１の傾斜角と前記印刷定盤における第２の傾斜角とは、同じ傾斜角であることを特徴とする請求項１に記載のオフセット印刷装置である。
【００１６】
請求項３に記載の発明は、前記版取付定番上に配置される印刷版を使った印刷と前記グラビアシリンダーを使った印刷を順番に共通の前記印刷定盤にある被印刷部へ平行に重ねて印刷されることを特徴とする請求項１又は２に記載のオフセット印刷装置である。
【００１７】
請求項４に記載の発明は、前記被印刷体の供給方向が、印刷進行方向と略直交方向であることを特徴とする請求項１乃至３に記載のオフセット印刷装置である。
【００１８】
請求項５に記載の発明は、前記ドクターブレード、前記版取付定盤、及び前記印刷定盤が傾斜している角度、及び前記被印刷体を供給する角度が、任意の角度にそれぞれ調整可能であることを特徴とする請求項１乃至４に記載のオフセット印刷装置である。
【発明の効果】
【００１９】
本発明のオフセット印刷装置においては、印刷版及び印刷定盤が印刷進行方向に対し所定の傾斜角で、またドクターブレードが印刷版に対して平行にならないように配置されているので、印刷精度の低下を防止することができる。さらに、本発明によれば、絵柄は被印刷部へ平行に印刷されているため、フィルムに印刷された絵柄を一枚ずつ切断する時のフィルムの長さを短くすることができ、フィルムの歩留まりが向上し、製造コストを低減できる。
【００２０】
また、本発明によれば、フィルムを印刷進行方向に対してほぼ直交する方向に供給可能なため、多種多様な絵柄パターンに対応できるとともに、前後の印刷工程や機械配置に応じて自由な装置構成が可能である。
【００２１】
また、本発明によれば、多種多様な絵柄パターンに最適となるようにドクターブレード、印刷版、絵柄が配置される角度、及びフィルムが供給される角度を可変調整できるため、常に印刷品質の良好な印刷条件を選定できる。
【００２２】
また、本発明によれば、版取付定盤と版取付定盤上に配置される印刷版と同じ機能をする円筒表面に凹版を有するグラビアシリンダーを併用できるため、版取付定盤と前記版取付定盤上に配置された印刷版を使った印刷と、グラビアシリンダーを使った印刷を同じ印刷定盤上に設置した被印刷部へ重ねて印刷することが可能である。
【図面の簡単な説明】
【００２３】
【図１】本発明の微細パターン印刷に関する第１実施形態における装置を示し、印刷方向に対し、フィルムを斜めに供給する装置構成を示す平面図である。
【図２】本発明の微細パターン印刷に関する第１実施形態における装置の側面図である。
【図３】本発明の微細パターン印刷に関する第２実施形態における装置を示し、印刷方向に対し、フィルムをほぼ直交する方向に供給する装置構成を示す平面図である。
【図４】本発明の微細パターン印刷に関する第２実施形態における装置の側面図である。
【図５】本発明の微細パターン印刷に関する第２実施形態における装置の正面図である。
【図６】本発明の対象とする微細パターン印刷法に関する従来装置を示す平面図である。
【図７】本発明の対象とする微細パターン印刷法に関する従来装置の側面図である。
【図８】本発明の対象とする微細パターン印刷法に関する従来装置において、絵柄が印刷された後のフィルムである。
【図９】本発明の微細パターン印刷に関する第３実施形態における装置を示し、印刷方向に対し、フィルムを斜めに供給する装置構成を示す平面図である。
【図１０】本発明の微細パターン印刷に関する第３実施形態における装置の側面図である。
【図１１】本発明の微細パターン印刷に関する第４実施形態における装置を示し、印刷方向に対し、フィルムをほぼ直交する方向に供給する装置構成を示す平面図である。
【図１２】本発明の微細パターン印刷に関する第４実施形態における装置の側面図である。
【図１３】本発明の微細パターン印刷に関する第４実施形態における装置の正面図である。
【発明を実施するための形態】
【００２４】
以下、本発明に係る微細パターン印刷装置の好適な実施形態について、図面を参照しながら説明する。図１及び２は本発明に係る微細パターン印刷装置の第１実施形態を示す。図１は平面図、図２は側面図であり、装置の概略構成を示す。なお、図６〜８に示す従来のオフセット印刷装置と同一の部材には、同一の符号を付して説明を省略する。
【００２５】
本発明の第１実施形態である微細パターン印刷装置は、オフセット印刷装置１００であり、図示されるようにドクターブレード５は、平面視において矢印で示す印刷方向に対し、斜めにセットされている。ドクターブレード５の取付角度−εは、印刷方向に直交する線に対して時計回りに傾斜している角度である（第４の傾斜角）。また版取付定盤２５上の版６０も、平面視において印刷方向に対し斜めの状態でセットされている（第１の傾斜角）。より具体的には、図示のように印刷方向に直交する線に対して反時計回りに傾斜角＋α（以下αと記す）となるように傾斜してセットされている。ここで、ドクターブレード５の傾斜角―εと版６０等の傾斜角αとが一致しないように配置され、版６０とドクターブレード５とが平行にならないことが重要である。なお、ドクターブレード５は、最適なインキ供給ができる傾斜角−ε、傾斜方向で適宜セットすればよい。
【００２６】
続いて、印刷方向に直交する線に対して反時計回りに傾斜角αとなるように版６０が傾斜した状態でブランケットロール１５に版６０が転写される。ブランケットロール１５は、印刷方向に対して直交するように配置され、ブランケットロール１５の移動方向は、矢印で示される印刷方向に対して平行である。続いて、ブランケットロール１５は、印刷ステージ３０に移動し、印刷定盤３５に固定されたフィルム４０に転写された版（絵柄）を印刷する。ここで、印刷定盤３５は、平面視において矢印で示す印刷方向に対し、角度＋β（以下βと記す）傾斜して配置されており（第２の傾斜角）、本実施形態では、印刷方向に直交する線に対して版６０と同じ角度傾斜して配置されている。つまり、版６０と印刷定盤３５とは平行（α＝β）になるように設けられている。また、供給されるフィルム４０も図示されるように、フィルム４０の短手方向が印刷方向に直交する線に対して、角度＋γ（以下γと記す）傾斜して配置されている（第３の傾斜角）。本実施形態では、印刷方向に直交する線に対して反時計回りに傾斜角γとなるように傾斜しており、印刷定盤３５に対して平行（α＝β＝γ）に供給、固定されている。
よって、印刷絵柄６５は、図示されるようにフィルム４０に対して平行に印刷される。従って、印刷後のフィルム４１を絵柄端面に対して平行に切断、又は、フィルム端面に対して直角に切断できる。印刷絵柄６５がフィルム４０に斜めに印刷された場合と比較して、印刷されたフィルム４１をカットするときのフィルム４１の長さＬを短くすることができる。結果として、フィルム４１の歩留まりが向上する。ここで、５５は、フィルム供給ライン保持ロールである。また４５は、フィルムカッター７０により枚葉に切断された被印刷物である。なお、印刷絵柄６５が印刷されたフィルム４０は、フィルムカッター７０により枚葉に切断して回収するほか、巻き取る機構により回収することもできる。
【００２７】
図３〜５は本発明に係る微細パターン印刷装置であるオフセット印刷装置の第２実施形態を示す。図３は平面図、図４は側面図、図５は正面図であり、装置の概略構成を示す。図１、２において示される第１実施形態の微細パターン印刷装置１００、及び図６〜８において示される従来のオフセット印刷装置１と同一部材には、同一の符号を付して説明を省略する。
【００２８】
本発明の第２実施形態であるオフセット印刷装置２００は、第１実施形態に示されるオフセット印刷装置１００と同様に、微細パターン印刷装置である。第１実施形態に示されるオフセット印刷装置１００では、版取付定盤２５は、短手方向が平面視（図１）において矢印で示す印刷方向に対し、直交するように配置されていた。一方、第２実施形態に示されるオフセット印刷装置２００においては、版取付定盤２５、印刷定盤３５も平面視（図３）において矢印で示す印刷方向に対し、傾斜し、図示されるように印刷方向に直交する線に対して反時計回りに傾斜角βとなるように傾斜してセットされている。また版取付定盤２５の上に設けられている版６０は、平面視において印刷方向に対し版取付定盤２５と同じ角度（α）でセットされ、版６０と版取付定盤２５とは平行（β＝α）となるように配置されている。またドクターブレード５の取付角度＋ε（以下εと記す）は、印刷方向に直交する線に対して反時計回りに傾斜している。本実施形態においても、ドクターブレード５の取付角度εと版６０の傾斜角αとは異なり、版６０とドクターブレード５とは平行にならないように配置される。
【００２９】
上述の構成において、版取付定盤２５の上に設けられ、版取付定盤２５と同一の傾斜角となるように傾斜してセットされている版６０のインキが、ブランケットロール１５に転写される。ブランケットロール１５は、印刷方向に対して直交するように配置され、ブランケットロール１５の移動方向は、矢印で示す印刷方向と平行である。続いて、ブランケットロール１５は、印刷ステージ３０に移動し、印刷定盤３５に固定されたフィルム４０に印刷する。一方、印刷定盤３５に供給されるフィルム４０は、図３に示されるような装置構成によって、印刷方向とほぼ直交する方向に移動する。ここで、印刷定盤３５は、版６０と平行であり、傾斜角βとなるように傾斜して配置されている。また供給されるフィルム４０も図示されるように、長手方向が印刷方向に直交する線に対して傾斜角δとなるように傾斜しており、印刷定盤３５に対して平行に供給、固定されている。よって、印刷絵柄６５は、図示されるようにフィルム４１に平行に印刷される。
なお、第１実施形態と比較すると、印刷絵柄６５が配置される方向は、９０度異なる。従って、印刷後のフィルム４１を、一枚ずつ絵柄端面に対して平行に切断、または、フィルム端面に対して直角に切断できる。また、印刷絵柄６５は、図示されるようにフィルム４０に対して平行に印刷される。従って、図８に示されるように、印刷絵柄６５がフィルム４０に斜めに印刷された場合と比較して、印刷されたフィルム４１をカットするときのフィルム４１の長さＬを短くすることができる。結果として、フィルム４１の歩留まりが向上する。また、印刷方向に対してほぼ直交する方向にフィルムが供給されるため、前後の印刷工程もしくは機械配置に応じて自由な装置構成が可能である。
【００３０】
本発明の第１実施形態および第２実施形態の装置構成は、図１、図２に示したドクターブレード５、版取付定盤２５、印刷版６０、印刷定盤３５、及びフィルム供給等の傾斜角度−ε、α、β、γ及びδを任意の角度にそれぞれ可変調整できる。このような装置構成を有することで、多種多様な絵柄パターンに対し、常に印刷品質の良好な最適印刷条件を選定できる。なお傾斜角−α、β、及びγは、絵柄に応じて５度から４５度の範囲で可変調整できるように構成するのが最適である。使用に際しては、ドクターブレード５と印刷版６０とが平行とならないように配置する。また、ブランケットロール１５と印刷版６０とが平行とならないように配置する。さらに、フィルム４０の供給角度を印刷版６０の傾斜角度と同一の傾斜角度となるように、又は直交する傾斜角度となるように配置する。このような構成によって、印刷精度の低下を防止し、しかも生産性を低下させることなく、安価に高精度の微細印刷が可能となる。
【００３１】
本発明の第３実施形態であるオフセット印刷装置４００は、本発明の第１実施形態であるオフセット印刷装置１００の図左側上部に版取付定盤２５と前記版取付定盤上に配置される印刷版６０と同じ機能をする円筒表面に平面視において凹版の絵柄の反時計回りに傾斜角αを有するグラビアシリンダー７１を、グラビアシリンダー７１の軸方向が印刷方向に対して直交するように配置したオフセット印刷装置であり、図示されるようにドクターブレード７２は、平面視においてグラビアシリンダー７１の軸方向に平行かつ円筒表面に均一に接するように配置する。なお、ドクターブレード７２は、最適なインキ供給ができる傾斜方向で適宜セットすればよい。
【００３２】
ここで、グラビアシリンダー７１は、版取付定盤上に配置される印刷版６０に比べ安価に製作できるため、グラビアシリンダー７１が印刷版６０と同じ機能を有していれば、グラビアシリンダー７１のみを配置して印刷をしてもよい。すなわち、本発明の第３実施形態であるオフセット印刷装置４００は、本発明の第１実施形態であるオフセット印刷装置１００の版取付定盤２５と前記版取付定盤上の印刷版６０を配置せず、印刷版６０と同じ機能をする円筒表面に平面視において凹版の絵柄の反時計回りに傾斜角αを有するグラビアシリンダー７１を配置したオフセット印刷装置としてもよい。
【００３３】
続いて、グラビアシリンダー７１を図１０側面図に図示するグラビアシリンダー７１を反時計回りに回転させ、グラビアシリンダー７１の軸方向に平行かつ円筒表面に一定の傾斜角度で均一に接触（線接触）するように配置されたドクターブレード７２によって、その接触部の円筒表面とドクターブレード７２との接触角度が狭い方に最適なインキ供給されたインキを掻き、グラビアシリンダー７１円筒表面において印刷方向に直交する線に対して反時計回りに傾斜角αとなるように絵柄が傾斜した状態で、グラビアシリンダー７１の真下に移動させたブランケットロール１５を、グラビアシリンダー７１の周速度に同調させた回転数で回転させながら、上昇させ適度な接触圧力によって、絵柄が転写される。ブランケットロール１５は、印刷方向に対して直交するように配置され、ブランケットロール１５の移動方向は、矢印で示される印刷方向に対して平行である。続いて、ブランケットロール１５は、印刷ステージ３０に移動し、下降し、印刷定盤３５に固定されたフィルム４０に転写された版（絵柄）を印刷する。ここで、印刷定盤３５は、平面視において矢印で示す印刷方向に対し、角度β傾斜して配置されており（第２の傾斜角）、本実施形態では、印刷方向に直交する線に対してグラビアシリンダー７１上の絵柄と同じ角度α傾斜して配置されている。つまり、シリンダー７１上の絵柄と印刷定盤３５とは平行（α＝β）になるように設けられている。また、供給されるフィルム４０も図示されるように、フィルム４０の短手方向が印刷方向に直交する線に対して、角度γ傾斜して配置されている（第３の傾斜角）。本実施形態では、印刷方向に直交する線に対して反時計回りに傾斜角γとなるように傾斜しており、印刷定盤３５に対して平行に供給、固定されている。
よって、印刷絵柄６５は、図示されるようにフィルム４０に対して平行に印刷される。従って、印刷後のフィルム４１を絵柄端面に対して平行に切断、又は、フィルム端面に対して直角に切断できる。印刷絵柄６５がフィルム４０に斜めに印刷された場合に比較して、印刷されたフィルム４１をカットするときのフィルム４１の長さＬを短くすることができる。結果として、フィルム４１の歩留まりが向上する。ここで、５５は、フィルム供給ライン保持ロールである。また４５は、枚葉に切断された被印刷物である。なお、印刷絵柄６５が印刷されたフィルム４０は、フィルムカッター７０により枚葉に切断して回収するほか、巻き取る機構により回収することもできる。
【００３４】
本発明の第４実施形態であるオフセット印刷装置５００は、本発明の第２実施形態であるオフセット印刷装置２００の図左側上部に版取付定盤と前記版取付定盤上に配置される印刷版と同じ機能をする円筒表面に平面視において凹版の絵柄の反時計回りに傾斜角βを有するグラビアシリンダー７１を、グラビアシリンダー７１の軸方向が印刷方向に対して直交するように配置したオフセット印刷装置であり、図示されるようにドクターブレード７０は、平面視においてグラビアシリンダー７１の軸方向に平行かつ円筒表面に均一に接するように配置する。なお、ドクターブレード７２は、最適なインキ供給ができる傾斜方向で適宜セットすればよい。
【００３５】
ここで、グラビアシリンダー７１は、版取付定盤上に配置される印刷版６０に比べ安価に製作できるため、グラビアシリンダー７１が印刷版６０と同じ機能を有していれば、グラビアシリンダー７１のみを配置して印刷をしてもよい。すなわち、本発明の第４実施形態であるオフセット印刷装置５００は、本発明の第２実施形態であるオフセット印刷装置２００の版取付定盤２５と前記版取付定盤上の印刷版６０を配置せず、印刷版６０と同じ機能をする円筒表面に平面視において凹版の絵柄の反時計回りに傾斜角αを有するグラビアシリンダー７１を配置したオフセット印刷装置としてもよい。
【００３６】
続いて、グラビアシリンダー７１を図１２側面図に図示するグラビアシリンダー７１を反時計回りに回転させ、グラビアシリンダー７１の軸方向に平行かつ円筒表面に一定の傾斜角度で均一に接触（線接触）するように配置されたドクターブレード７２によって、その接触部の円筒表面とドクターブレード７２との接触角度が狭い方に最適なインキ供給されたインキを掻き、グラビアシリンダー７１円筒表面において印刷方向に直交する線に対して反時計回りに傾斜角βとなるように絵柄が傾斜した状態で、グラビアシリンダー７１の真下に移動させたブランケットロール１５を、グラビアシリンダー７１の周速度に同調させた回転数で回転させながら、上昇させ適度な接触圧力によって、絵柄が転写される。ブランケットロール１５は、印刷方向に対して直交するように配置され、ブランケットロール１５の移動方向は、矢印で示される印刷方向に対して平行である。続いて、ブランケットロール１５は、印刷ステージ３０に移動し、下降し、印刷定盤３５に固定されたフィルム４０に転写された版（絵柄）を印刷する。ここで、印刷定盤３５は、平面視において矢印で示す印刷方向に対し、角度β傾斜して配置されており（第２の傾斜角）、本実施形態では、印刷方向に直交する線に対してグラビアシリンダー７１上の絵柄と同じ角度α傾斜して配置されている。つまり、シリンダー７１上の絵柄と印刷定盤３５とは平行（α＝β）になるように設けられている。また、供給されるフィルム４０も図示されるように、フィルム４０の短手方向が印刷方向に直交する線に対して、傾斜して配置されている（第３の傾斜角）。本実施形態では、印刷方向に直交する線に対して反時計回りに傾斜角δとなるように傾斜しており、印刷定盤３５に対して平行に供給、固定されている。
【００３７】
よって、印刷絵柄６５は、図示されるようにフィルム４０に対して平行に印刷される。なお、第４実施形態と比較すると、印刷絵柄６５が配置される方向は、９０度異なる。従って、印刷後のフィルム４１を、一枚ずつ絵柄端面に対して平行に切断、または、フィルム端面に対して直角に切断できる。また、印刷絵柄６５は、図示されるようにフィルム４０に対して平行に印刷される。従って、図１３に示されるように、印刷絵柄６５がフィルム４０に斜めに印刷された場合と比較して、印刷されたフィルム４１をカットするときのフィルム４１の長さＬを短くすることができる。結果として、フィルム４１の歩留まりが向上する。また、印刷方向に対してほぼ直交する方向にフィルムが供給されるため、前後の印刷工程もしくは機械配置に応じて自由な装置構成が可能である。
【００３８】
また、上記実施形態１、３の組み合せ、または、実施形態２、４の組み合せによる印刷機構成により、印刷版６０を使った印刷工程とシリンダー７１を使った印刷工程を、順番に印刷機１台で可能となり、たとえば実施形態１または２で印刷した絵柄の上に同じ傾斜角αで、実施形態３または４で重ねて印刷することが可能である。
【産業上の利用可能性】
【００３９】
本発明は電子回路パターン等および半導体関連の各種デバイス等における微細パターンの印刷を高精度で行う事が可能なオフセット印刷装置に好適に利用できる。
【００４０】
本発明は電子回路パターン等および半導体関連の各種デバイス等における微細パターン、例えば導電性の有する配線印刷の上に絶縁樹脂をかぶせる為の重ね印刷を行う事が可能なオフセット印刷を可能とする。
【符号の説明】
【００４１】
１  オフセット印刷装置
２  印刷装置の架台フレーム
３  印刷装置の架台フレーム
５  ドクターブレード
１０  台車
１５  ブランケットロール
２０  版ステージ
２５  版取付定盤
３０  印刷ステージ
３５  印刷定盤
４０  印刷前のフィルム
４１  印刷されたフィルム
４５  枚葉にカットされた印刷物
５５  フィルム搬送ライン保持ロール
５６  フィルム搬送ライン保持ロール
６０  版（印刷版）
６５  印刷絵柄
７０  フィルムカッター
７１  グラビアシリンダー
７２  ドクターブレード
１００  本実施形態１のオフセット印刷装置
２００  本実施形態２のオフセット印刷装置
４００  本実施形態３のオフセット印刷装置
５００  本実施形態４のオフセット印刷装置
α  印刷方向に直交する線に対する版の傾斜角度
β  印刷方向に直交する線対する印刷定盤の傾斜角度
γ  印刷方向に直交する線に対するフィルムの短手方向の傾斜角度
δ  印刷方向に直交する線に対するフィルムの長手方向の傾斜角度
ε  印刷方向に直交する線に対するドクターブレードの傾斜角度
【図１】
2014030966.tif 000003
【図２】
2014030966.tif 000004
【図３】
2014030966.tif 000005
【図４】
2014030966.tif 000006
【図５】
2014030966.tif 000007
【図６】
2014030966.tif 000008
【図７】
2014030966.tif 000009
【図８】
2014030966.tif 000010
【図９】
2014030966.tif 000011
【図１０】
2014030966.tif 000012
【図１１】
2014030966.tif 000013
【図１２】
2014030966.tif 000014
【図１３】
2014030966.tif 000015